(57)【要約】【課題】現在時刻が予め登録している時刻になったとき、ＨＴＭＬ情報を取得する情報システム、情報システム制御方法、情報端末装置及びそのプログラムを提供する。【解決手段】現在の時刻が定期処理手段２０３に登録されている時刻になった場合、サーバーから最新のＨＴＭＬ情報を取得することができることから、センター側でＨＴＭＬ情報の差し替えが行われた場合も、例えば情報更新といったボタンを押下する必要がなくなり、使用者の手間を取らせることなく最新のＨＴＭＬ情報を表示することができる。【選択図】図２
2006079503.tif 000002
【特許請求の範囲】
【請求項１】
外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と、表示手段とを有し、現在の時刻が前記定期処理手段に登録されている時刻になった場合、前記外部通信手段を介してサーバーから最新のＨＴＭＬ情報を取得し、表示手段で表示させることを特徴とした情報システム。
【請求項２】
前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新することを特徴とした請求項１に記載の情報システム。
【請求項３】
前記情報端末装置において、サーバーからの操作により通信スケジュールの変更または追加が行われた場合、前記制御手段は前記定期処理手段へすでに登録されている通信スケジュールの変更または追加を行うことを特徴とした請求項１または２に記載の情報システム。
【請求項４】
情報端末装置は電源投入時に外部通信手段を介してサーバーから最新のＨＴＭＬ情報を取得し、表示手段で表示可能とする請求項１から３のいずれか１項に記載の情報システム。
【請求項５】
情報端末装置は操作手段を有し、操作手段の操作時に外部通信手段を介してサーバーから最新のＨＴＭＬ情報を取得し、表示手段で表示可能とする請求項１から４のいずれか１項に記載の情報システム。
【請求項６】
外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と表示手段を有し、現在の時刻が前記定期処理手段に登録されている時刻になった場合、前記外部通信手段を介してサーバーから最新のＨＴＭＬ情報を取得し、表示手段で表示させる手順を備えた情報システム制御方法。
【請求項７】
前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新する手順を備えた請求項６に記載の情報システム制御方法。
【請求項８】
前記情報端末装置において、サーバーからの操作により通信スケジュールの変更または追加が行われた場合、前記制御手段は前記定期処理手段へすでに登録されている通信スケジュールの変更または追加を行う手順を備えた請求項６または７に記載の情報システム制御方法。
【請求項９】
情報端末装置は電源投入時に外部通信手段を介してサーバーから最新のＨＴＭＬ情報を取得し、表示手段で表示可能とする手順を備えた請求項６から８のいずれか１項に記載の情報システム制御方法。
【請求項１０】
情報端末装置は操作手段を有し、操作手段の操作時に外部通信手段を介してサーバーから最新のＨＴＭＬ情報を取得し、表示手段で表示可能とする手順を備えた請求項６から９のいずれか１項に記載の情報システム制御方法。
【請求項１１】
ＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と表示手段を有し、現在の時刻が前記定期処理手段に登録されている時刻になった場合、前記外部通信手段を介してサーバーから最新のＨＴＭＬ情報を取得し、表示手段で表示させることを特徴とした情報端末装置。
【請求項１２】
前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新することを特徴とした請求項１１に記載の情報端末装置。
【請求項１３】
前記情報端末装置において、サーバーからの操作により通信スケジュールの変更または追加が行われた場合、前記制御手段は前記定期処理手段へすでに登録されている通信スケジュールの変更または追加を行うことを特徴とした請求項１１または１２に記載の情報端末装置。
【請求項１４】
電源投入時に外部通信手段を介してサーバーから最新のＨＴＭＬ情報を取得し、表示手段で表示可能とする請求項１１から１３のいずれか１項に記載の情報端末装置。
【請求項１５】
操作手段を有し、操作手段の操作時に外部通信手段を介してサーバーから最新のＨＴＭＬ情報を取得し、表示手段で表示可能とする請求項１１から１４のいずれか１項に記載の情報端末装置。
【請求項１６】
請求項第１１〜１５のいずれか１項の情報端末装置の少なくとも一部をコンピュータに実現させるためのプログラム。
【発明の詳細な説明】
【技術分野】
【０００１】
本発明は、ＨＴＭＬ文書を処理可能な情報端末装置で、前記情報端末装置のＨＴＭＬ文書の更新に関する、情報システム、情報システム制御方法、情報端末装置及びそのプログラムに関するものである。
【背景技術】
【０００２】
従来、この種の情報システムは、室外機と複数の室内機と、運転停止や温度設定の表示及び操作が可能であるリモコンとを有する空気調和機システムにおいて、広告情報をダウンロードし、前記リモコンで広告情報を表示することができるようになっている（例えば特許文献１参照）。
【０００３】
図６は、特許文献１に記載された従来の情報システムの構成図を示すものである。図６に示すように、室外機と複数の室内機と、運転停止や温度設定の表示及び操作が可能であるリモコン６０２を有する空気調和機システムにおいて、リモコン６０２と接続されＨＴＭＬデータの受信が可能である空調集中管理ＰＣ６０３と、空調集中管理ＰＣ６０３とインターネット６０４を介して接続されデータベース化された広告情報を有した管理センター６０１とを備え、空調集中管理装置６０３に広告情報をダウンロードし、リモコン６０２に表示することができるようになっている。
【特許文献１】特開２００２−１１５８９２号公報
【発明の開示】
【発明が解決しようとする課題】
【０００４】
しかしながら、前記従来の構成では、企業の広告情報を空調集中管理装置を介してリモコンへ配信され表示することができるが、広告情報の更新方法については十分考慮されていないという課題があった。
【０００５】
本発明は、前記従来の課題を解決するもので、現在の時刻が定期処理手段に登録されている時刻になった場合、外部通信手段を介してサーバーから最新のＨＴＭＬ情報を取得し、表示手段で表示させる情報システムを提供することを目的とする。
【課題を解決するための手段】
【０００６】
前記従来の課題を解決するために、本発明の情報システム、情報システム制御方法、情報端末装置及びそのプログラムは、外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と、表示手段を有し、現在の時刻が前記定期処理手段に登録されている時刻になった場合、前記外部通信手段を介してサーバーから最新のＨＴＭＬ情報を取得し、表示手段で表示させることを特徴としたものである。
【０００７】
これによって、センター側でＨＴＭＬ情報の差し替えが行われた場合も、例えば情報更新といったボタンを押下する必要がなくなり、使用者の手間を取らせることなく最新のＨＴＭＬ情報を表示することができる。
【発明の効果】
【０００８】
本発明の情報システム、情報システム制御方法、情報端末装置及びそのプログラムは、現在の時刻が定期処理手段に登録されている時刻になった場合、外部通信手段を介してサーバーから最新のＨＴＭＬ情報を取得し、表示手段で表示させることから、センター側でＨＴＭＬ情報の差し替えが行われた場合も、例えば情報更新といったボタンを押下する必要がなくなり、使用者の手間を取らせることなく最新のＨＴＭＬ情報を表示することができる。
【発明を実施するための最良の形態】
【０００９】
第１の発明は、外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と表示手段を有し、現在の時刻が前記定期処理手段に登録されている時刻になった場合、前記外部通信手段を介してサーバーから最新のＨＴＭＬ情報を取得し、表示手段で表示させる情報システムであることを特徴とし、現在の時刻が定期処理手段に予め登録している時刻になれば情報端末装置がサーバーへ最新のＨＴＭＬ情報の取得を行うことから、センター側でＨＴＭＬ情報の差し替えが行われた場合も、例えば情報端末装置の情報更新といったボタンを押下することなく情報端末装置のＨＴＭＬ情報が更新されることから、使用者の手間を取らせることなく最新のＨＴＭＬ情報を表示させることができる。
【００１０】
第２の発明は、特に、第１の発明の情報システムにおいて、前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新することを特徴とし、次回のサーバーとの通信スケジュールを情報端末装置が認識していることから、センター側でＨＴＭＬ情報の差し替えが行われた場合も、所定の時間間隔毎に常に情報端末装置に最新のＨＴＭＬ情報を表示させることができる。
【００１１】
第３の発明は、特に、第１または第２の発明の情報システムにおいて、前記情報端末装置において、サーバーからの操作により通信スケジュールの変更または追加が行われた場合、前記制御手段は前記定期処理手段へすでに登録されている通信スケジュールの変更または追加を行うことを特徴とし、情報端末装置の次回の通信スケジュールタイミングまで待つことなくセンター側から情報端末装置の通信スケジュールを変更させることができることから、センター側で緊急的に情報端末装置のＨＴＭＬ情報を更新させたい場合でも、次回の通信スケジュールタイミングを待つ必要がなくなり、また情報端末の使用者に連絡し、例えば情報更新といったボタンの押下依頼をすることなく情報端末装置に最新のＨＴＭＬ情報を表示させることができる。
【００１２】
第４の発明は、特に、第１〜３のいずれか１つの発明の情報システムにおいて、情報端末装置は電源投入時に外部通信手段を介してサーバーから最新のＨＴＭＬ情報を取得し、表示手段で表示可能とすることを特徴とし、例えば情報端末装置は工場出荷状態時に何もＨＴＭＬ情報がセットされていない場合でも、情報端末装置が初めて使用者宅に設置され電源を投入した時にサーバーから最新のＨＴＭＬ情報を取得することから、情報端末装置の通信スケジュールタイミングを待つことなく使用者は最新のＨＴＭＬ情報を閲覧することができる。
【００１３】
第５の発明は、特に、第１〜４のいずれか１つの発明の情報システムにおいて、情報端末装置は操作手段を有し、操作手段の操作時に外部通信手段を介してサーバーから最新のＨＴＭＬ情報を取得し、表示手段で表示可能とすることを特徴とし、使用者は使用者が望むタイミングで最新のＨＴＭＬ情報を閲覧することができることから、例えば翌日のスーパーの特売情報がサーバー側ですでに更新されていれば使用者は買い物に出かける前にスーパーの最新情報を閲覧することができ、複数の買い物場所を回る場合にどこの店で何を買うべきかを意識して買い物を行うことができる。
【００１４】
第６の発明は、外部通信網を介してサーバーと通信してＨＴＭＬ情報を取得する情報端末装置を備え、前記情報端末装置はＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と表示手段を有し、現在の時刻が前記定期処理手段に登録されている時刻になった場合、前記外部通信手段を介してサーバーから最新のＨＴＭＬ情報を取得し、表示手段で表示させる手順を備えた情報システム制御方法であることを特徴とし、現在の時刻が期処理手段に予め登録している時刻になれば情報端末装置がサーバーへ最新のＨＴＭＬ情報の取得を行うことから、センター側でＨＴＭＬ情報の差し替えが行われた場合も、例えば情報端末装置の情報更新といったボタンを押下することなく情報端末装置のＨＴＭＬ情報が更新されることから、使用者の手間を取らせることなく最新のＨＴＭＬ情報を表示させることができる。
【００１５】
第７の発明は、特に、第６の発明の情報システム制御方法において、前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新する手順を備えることを特徴とし、次回のサーバーとの通信スケジュールを情報端末装置が認識していることから、センター側でＨＴＭＬ情報の差し替えが行われた場合も、所定の時間間隔毎に常に情報端末装置に最新のＨＴＭＬ情報を表示させることができる。
【００１６】
第８の発明は、特に、第６または第７のいずれか１つの発明の情報システム制御方法において、前記情報端末装置において、サーバーからの操作により通信スケジュールの変更または追加が行われた場合、前記制御手段は前記定期処理手段へすでに登録されている通信スケジュールの変更または追加を行う手順を備えることを特徴とし、情報端末装置の次回の通信スケジュールタイミングまで待つことなくセンター側から情報端末装置の通信スケジュールを変更させることができることから、センター側で緊急的に情報端末装置のＨＴＭＬ情報を更新させたい場合でも、次回の通信スケジュールタイミングを待つ必要がなくなり、また情報端末の使用者に連絡し、例えば情報更新といったボタンの押下依頼をすることなく情報端末装置に最新のＨＴＭＬ情報を表示させることができる。
【００１７】
第９の発明は、特に、第６〜８のいずれか１つの発明の情報システム制御方法において、情報端末装置は電源投入時に外部通信手段を介してサーバーから最新のＨＴＭＬ情報を取得し、表示手段で表示可能とする手順を備えることを特徴とし、例えば情報端末装置は工場出荷状態時に何もＨＴＭＬ情報がセットされていない場合でも、情報端末装置が初めて使用者宅に設置され電源を投入した時にサーバーから最新のＨＴＭＬ情報を取得することから、情報端末装置の通信スケジュールタイミングを待つことなく使用者は最新のＨＴＭＬ情報を閲覧することができる。
【００１８】
第１０の発明は、特に、第６〜９のいずれか１つの発明の情報システム制御方法において、情報端末装置は操作手段を有し、操作手段の操作時に外部通信手段を介してサーバーから最新のＨＴＭＬ情報を取得し、表示手段で表示可能とすることを特徴とし、使用者は使用者が望むタイミングで最新のＨＴＭＬ情報を閲覧することができることから、例えば翌日のスーパーの特売情報がサーバー側ですでに更新されていれば使用者は買い物に出かける前にスーパーの最新情報を閲覧することができ、複数の買い物場所を回る場合にどこの店で何を買うべきかを意識して買い物を行うことができる。
【００１９】
第１１の発明は、ＨＴＭＬ情報を処理可能なＨＴＭＬ処理手段と、前記外部通信網とのネットワーク接続を可能とする外部通信手段と、外部通信網との通信スケジュールを管理する定期処理手段と、前記ＨＴＭＬ処理手段、前記外部通信手段、前記定期処理手段を制御する制御手段と表示手段を有し、現在の時刻が前記定期処理手段に登録されている時刻になった場合、前記外部通信手段を介してサーバーから最新のＨＴＭＬ情報を取得し、表示手段で表示させる情報端末装置であることを特徴とし、現在の時刻が定期処理手段に予め登録している時刻になれば情報端末装置がサーバーへ最新のＨＴＭＬ情報の取得を行うことから、センター側でＨＴＭＬ情報の差し替えが行われた場合も、例えば情報端末装置の情報更新といったボタンを押下することなく情報端末装置のＨＴＭＬ情報が更新されることから、使用者の手間を取らせることなく最新のＨＴＭＬ情報を表示させることができる。
【００２０】
第１２の発明は、特に、第１１の発明の情報端末装置において、前記制御手段の指示により前記ＨＴＭＬ処理手段が前記外部通信手段を介してサーバーから最新のＨＴＭＬ情報の取得を完了すると、前記制御手段は前記定期処理手段へ次回のサーバーとの通信スケジュールを登録し、前記情報端末装置は所定の時間間隔で最新のＨＴＭＬ情報を更新することを特徴とし、次回のサーバーとの通信スケジュールを情報端末装置が認識していることから、センター側でＨＴＭＬ情報の差し替えが行われた場合も、所定の時間間隔毎に常に情報端末装置に最新のＨＴＭＬ情報を表示させることができる。
【００２１】
第１３の発明は、特に、第１１または第１２のいずれか１つの発明の情報端末装置において、前記情報端末装置において、サーバーからの操作により通信スケジュールの変更または追加が行われた場合、前記制御手段は前記定期処理手段へすでに登録されている通信スケジュールの変更または追加を行うことを特徴とし、情報端末装置の次回の通信スケジュールタイミングまで待つことなくセンター側から情報端末装置の通信スケジュールを変更させることができることから、センター側で緊急的に情報端末装置のＨＴＭＬ情報を更新させたい場合でも、次回の通信スケジュールタイミングを待つ必要がなくなり、また情報端末の使用者に連絡し、例えば情報更新といったボタンの押下依頼をすることなく情報端末装置に最新のＨＴＭＬ情報を表示させることができる。
【００２２】
第１４の発明は、特に、第１１〜１３のいずれか１つの発明の情報端末装置において、電源投入時に外部通信手段を介してサーバーから最新のＨＴＭＬ情報を取得し、表示手段で表示可能とすることを特徴とし、例えば情報端末装置は工場出荷状態時に何もＨＴＭＬ情報がセットされていない場合でも、情報端末装置が初めて使用者宅に設置され電源を投入した時にサーバーから最新のＨＴＭＬ情報を取得することから、情報端末装置の通信スケジュールタイミングを待つことなく使用者は最新のＨＴＭＬ情報を閲覧することができる。
【００２３】
第１５の発明は、特に、第１１〜１４のいずれか１つの発明の情報端末装置において、
操作手段を有し、操作手段の操作時に外部通信手段を介してサーバーから最新のＨＴＭＬ情報を取得し、表示手段で表示可能とすることを特徴とし、使用者は使用者が望むタイミングで最新のＨＴＭＬ情報を閲覧することができることから、例えば翌日のスーパーの特売情報がサーバー側ですでに更新されていれば使用者は買い物に出かける前にスーパーの最新情報を閲覧することができ、複数の買い物場所を回る場合にどこの店で何を買うべきかを意識して買い物を行うことができる。
【００２４】
第１６の発明は、特に、第１１〜１５の発明のいずれか１項の情報端末装置の機能の少なくとも一部をコンピュータに実現させるためのプログラムである。そして、プログラムであるので、電気・情報機器、コンピュータ、サーバー等のハードリソースを協働させて本発明のセキュリティシステムの少なくとも一部を容易に実現することができる。また記録媒体に記録したり通信回線を用いてプログラムを配信したりすることでプログラムの配布・更新やインストール作業が簡単にできる。
【００２５】
以下本発明の実施の形態について、図面を参照しながら説明する。なお、この実施の形態によって本発明が限定されるものではない。
【００２６】
（実施の形態１）
図１は本発明の第１の実施の形態における情報システムの構成図、図２は本発明の第１の実施の形態における情報端末装置のブロック図を示すものであるである。
【００２７】
図１において、情報端末装置１０１は各家庭１００に設置される冷蔵庫１０２、エアコン１０３等の家電機器と人感センサ１０５や開閉センサ１０６等のセンサ機器とガス給湯器１０４を宅内通信回線によって接続し、それら機器の制御を行う構成になっている。宅内通信回線は無線ＬＡＮ、Ｂｌｕｅｔｏｏｔｈ（Ｒ）または特定小電力無線など無線を媒体として利用することも可能で、その場合、情報端末装置１０１、家電機器、センサ機器それぞれは無線通信ユニットを装着する必要がある。
【００２８】
情報端末１０１と宅内通信装置１０３は、外部通信網１０７を介してサーバー１０８と接続されている。外部通信網１０７は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信処理装置、回線接続手段を介して直接にセンターサーバ装置にＡＤＳＬ接続することもできるものである。さらに、通信機器の送受信の接続回線網はＦＴＴＨのような光ファイバー網でもよい。
【００２９】
また、情報端末装置１０１と接続される機器は、その他温水利用システム、ガスメータ、電力メータ、水道メータ等の設備機器でもよい。
【００３０】
以上のように構成された情報システムについて、以下その動作、作用を説明する。
【００３１】
図２において、情報端末装置１０１はＨＴＭＬ処理手段２０６を備えており、制御手段２０４は外部通信手段２０５、外部通信網１０７、サーバー１０８を介してＨＴＭＬ情報を取得すると、ＨＴＭＬ処理手段２０６へ受信したＨＴＭＬ情報を転送する。ＨＴＭＬ処理手段２０６は制御手段２０４から受信したＨＴＭＬ情報を表示手段２０２に表示できるように解析し、ＨＴＭＬ情報の解析が完了すると制御手段２０４にＨＴＭＬ情報を表示データとして転送し、制御手段２０４は表示手段２０２へ転送する。表示手段２０２は受信した表示データを表示する。
【００３２】
定期処理手段２０３は、予め登録している通信スケジュールと現在時刻を比較し、現在時刻が通信時刻に到達するたびに制御手段２０４に通信時刻の到達を通知する。情報端末装置１０１はカレンダー機能を有し、工場出荷時に現在時刻が設定されていても良いし、情報端末装置１０１が使用者宅に初めて設置されたときに現在時刻を設定してもよい。制御手段２０４は通信時刻の到達通知を受けると、ただちに外部通信手段２０５を起動し、外部通信網１０７を介してサーバー１０８から最新のＨＴＭＬ情報を取得する。
【００３３】
ＨＴＭＬ情報を取得すると、制御手段２０４は次の通信スケジュールを定期処理手段２０３に登録する。制御手段２０４が定期処理手段２０３に登録する通信スケジュールは、ＨＴＭＬ情報の取得完了からある所定の時間周期ばかりを登録してもよいが、ＨＴＭＬ情報と一緒に次の通信スケジュールをダウンロードし、その通信スケジュールを登録しても良い。
【００３４】
また、ＨＴＭＬ情報のダウンロード完了をトリガにするのではなく、情報端末装置１０１が通常動作時にもサーバーから一度登録している通信スケジュールを書き換えることも可能である。
【００３５】
定期処理手段２０３には複数の通信スケジュールを登録することもでき、例えば情報端末装置１０１においてダウンロードするＨＴＭＬ情報が複数存在する場合、あるＨＴＭＬ情報は１日毎、あるＨＴＭＬ情報は１週間毎に更新するなどの様に分けることもできる。
【００３６】
定期処理手段２０３には予め通信スケジュールが登録されていることを前提にしているが、情報端末装置１０１の工場出荷時には、デフォルトで通信スケジュールを持たせておいても良い。また本実施の形態の情報システムには電源投入時に最新のＨＴＭＬ情報を取得する機能を持たせているため、工場出荷時に通信スケジュールを持たせていなくてもかまわない。
【００３７】
図３、図４、図５は本実施の形態の情報システムの情報端末装置１０１の動作を説明するためのフローチャートである。
【００３８】
制御手段２０４は定期処理手段２０３から現在時刻が通信すべき時刻（登録時刻）に到達したことを示す通知があるかどうかを確認する（図３のＳＴＥＰ１）。制御手段２０４が定期処理手段２０３から通信時刻である通知を受けた場合（ＳＴＥＰ１、Ｙｅｓ）、制御手段２０４は外部通信手段２０５を起動し、外部通信網１０７を介してサーバー１０８から最新のＨＴＭＬ情報を取得する（ＳＴＥＰ２）。
【００３９】
最新のＨＴＭＬ情報のダウンロードが完了しているかを確認し（ＳＴＥＰ３）、ダウンロードが完了していれば（ＳＴＥＰ３、Ｙｅｓ）制御手段２０４はＨＴＭＬ情報をＨＴＭＬ処理手段２０６に転送し、ＨＴＭＬ処理手段２０６は表示手段２０２に表示できるようにＨＴＭＬ情報を解析する（ＳＴＥＰ４）。
【００４０】
ＨＴＭＬ情報の解析が完了すると制御手段２０４にＨＴＭＬ情報を表示データとして転送し制御手段２０４は表示手段２０２にさらに転送し、ＨＴＭＬ情報を表示する。
【００４１】
ＨＴＭＬ情報を表示すると制御手段２０４は、次回の通信スケジュールを定期処理手段２０３に登録する（ＳＴＥＰ６）。この時、制御手段２０４が定期処理手段２０３に登録する通信スケジュールは、ＨＴＭＬ情報の取得完了からある所定の時間周期ばかりを登録してもよいが、ＨＴＭＬ情報と一緒に次の通信スケジュールをダウンロードし、その通信スケジュールを登録しても良い。
【００４２】
制御手段２０４は定期処理手段２０３からの通信時刻である通知があるかどうかを確認し、通信時刻である通知がなかった場合（ＳＴＥＰ１、Ｎｏ）、サーバーからの通信スケジュールの変更がないか確認し（ＳＴＥＰ７）、サーバーからの通信スケジュールの変更がある場合（ＳＴＥＰ７、Ｙｅｓ）、制御手段２０４は定期処理手段２０３に登録している通信スケジュールの登録時刻を変更する（ＳＴＥＰ８）。そして制御手段２０４は定期処理手段２０３からの通信時刻である通知があるかどうかを確認する（ＳＴＥＰ１）。
【００４３】
最新のＨＴＭＬ情報のダウンロードを開始し、ダウンロードが完了していない場合（ＳＴＥＰ３、Ｎｏ）、またはサーバーからの通信スケジュールの変更がない場合（ＳＴＥＰ７、Ｎｏ）は何も実行せずに定期処理手段２０３からの通信時刻である通知があるかどうかを確認する（ＳＴＥＰ１）。
【００４４】
図４は情報端末装置１０１が電源投入時にＨＴＭＬ情報を取得する動作を示すフロー図であり、情報端末装置１０１は電源投入されると（ＳＴＥＰ９）、制御手段２０４は外部通信手段２０５を起動し、外部通信網１０７を介してサーバー１０８から最新のＨＴＭＬ情報を取得する。ＨＴＭＬ情報を取得してから表示手段２０２にＨＴＭＬ情報を表示し、次回の通信スケジュールを登録する動作は図３におけるＳＴＥＰ３〜ＳＴＥＰ６まで同じ動作を示すため「ダウンロード処理」として示し、詳細な動作フローの説明は割愛する。
【００４５】
図５は情報端末装置１０１が操作手段２０１を有し、操作手段２０１を押下するとＨＴＭＬ情報を取得する動作を示すフロー図である。操作手段２０１を押下すると（ＳＴＥＰ１０）制御手段２０４は外部通信手段２０５を起動し、外部通信網１０７を介してサーバー１０８から最新のＨＴＭＬ情報を取得する。ＨＴＭＬ情報を取得してから表示手段２０２にＨＴＭＬ情報を表示し、次回の通信スケジュールを登録する動作は図３におけるＳＴＥＰ３〜ＳＴＥＰ６まで同じ動作を示すため「ダウンロード処理」として示し、詳細な動作フローの説明は割愛する。
【００４６】
以上のように、本実施の形態においては、現在の時刻が定期処理手段２０３に登録されている時刻になった場合、外部通信手段２０５を介してサーバー１０８から最新のＨＴＭＬ情報を取得し、表示手段で表示させることから、センター側でＨＴＭＬ情報の差し替えが行われた場合も、例えば情報更新といったボタンを押下する必要がなくなり、使用者の手間を取らせることなく最新のＨＴＭＬ情報を表示することができる。
【００４７】
また、制御手段２０４の指示によりＨＴＭＬ処理手段２０６が外部通信手段２０５を介してサーバー１０８から最新のＨＴＭＬ情報の取得を完了すると、制御手段２０４は定期処理手段２０３へ次回のサーバー１０８との通信スケジュールを登録し、情報端末装置１０１は所定の時間間隔で最新のＨＴＭＬ情報を更新することを特徴とする。これは次回のサーバーとの通信スケジュールを情報端末装置が認識していることから、センター側でＨＴＭＬ情報の差し替えが行われた場合も、所定の時間間隔毎に常に情報端末装置に最新のＨＴＭＬ情報を表示させることができる。
【００４８】
さらに、情報端末装置１０１において、サーバー１０８からの操作により通信スケジュールの変更または追加が行われた場合、制御手段２０４は定期処理手段２０３へすでに登録されている通信スケジュールの変更または追加を行うことを特徴とする。これは情報端末装置１０１の次回の通信スケジュールタイミングまで待つことなくセンター側から情報端末装置の通信スケジュールを変更させることができることから、センター側で緊急的に情報端末装置のＨＴＭＬ情報を更新させたい場合でも、次回の通信スケジュールタイミングを待つ必要がなくなり、また情報端末の使用者に連絡し、例えば情報更新といったボタンの押下依頼をすることなく情報端末装置に最新のＨＴＭＬ情報を表示させることができる。
【００４９】
さらに、情報端末装置１０１は電源投入時に外部通信手段２０５を介してサーバー１０８から最新のＨＴＭＬ情報を取得し、表示手段２０２で表示可能とすることを特徴とする。例えば情報端末装置１０１は工場出荷状態時に何もＨＴＭＬ情報がセットされていない場合でも、情報端末装置が初めて使用者宅に設置され電源を投入した時にサーバー１０８から最新のＨＴＭＬ情報を取得することから、情報端末装置１０１の通信スケジュールタイミングを待つことなく使用者は最新のＨＴＭＬ情報を閲覧することができる。
【００５０】
さらに、情報端末装置１０１は操作手段２０１を有し、操作手段２０１の操作時に外部通信手段２０５を介してサーバー１０８から最新のＨＴＭＬ情報を取得し、表示手段２０２で表示可能とすることを特徴とする。使用者は使用者が望むタイミングで最新のＨＴＭＬ情報を閲覧することができることから、例えば翌日のスーパーの特売情報がサーバー側ですでに更新されていれば使用者は買い物に出かける前にスーパーの最新情報を閲覧することができ、複数の買い物場所を回る場合にどこの店で何を買うべきかを意識して買い物を行うことができる。
【００５１】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００５２】
以上のように、本発明にかかる情報システム、情報システム制御方法、情報端末装置及びそのプログラムは、現在の時刻が定期処理手段に登録されている時刻になった場合、外部通信手段を介してサーバーから最新のＨＴＭＬ情報を取得し、表示手段で表示させることから、センター側でＨＴＭＬ情報の差し替えが行われた場合も、例えば情報更新といったボタンを押下する必要がなくなり、使用者の手間を取らせることなく最新のＨＴＭＬ情報を表示することができる。
【図面の簡単な説明】
【００５３】
【図１】本発明の実施の形態１における情報システムの構成図
【図２】本発明の実施の形態１における情報端末装置のブロック図
【図３】本発明の実施の形態１における情報端末装置の動作を説明するためのフローチャート
【図４】本発明の実施の形態１における情報端末装置の電源投入時の動作を説明するためのフローチャート
【図５】本発明の実施の形態１における情報端末装置の操作手段押下時の動作を説明するためのフローチャート
【図６】従来の情報システムの構成図
【符号の説明】
【００５４】
１０１  情報端末装置
１０７  外部通信網
１０８  サーバー
２０１  操作手段
２０２  表示手段
２０３  定期処理手段
２０４  制御手段
２０５  外部通信手段
２０６  ＨＴＭＬ処理手段
【図１】
2006079503.tif 000003
【図２】
2006079503.tif 000004
【図３】
2006079503.tif 000005
【図４】
2006079503.tif 000006
【図５】
2006079503.tif 000007
【図６】
2006079503.tif 000008